(57)【要約】【課題】  同一の中筒２に合成樹脂製の外筒３と金属パイプ製の外筒４をいずれもを被せることが可能であり、かつ外筒の径方向のがたつきが生じない２重筒の軸筒を提供する。【解決手段】  合成樹脂製外軸３の内周面を成形する円柱状の中子型の抜き勾配に起因する両端部の内径の差のほぼ１／４の高さの円環状の内向き突起３１を合成樹脂製外軸の内径が大径側の端部内周面に形成する。両端の外径に差のないストレートな中軸２の外周面にこの内向き突起とほぼ同等の高さの円環状の外向き突起２１を形成し、合成樹脂製外軸３を中軸２に被せたときに内向き突起３１と外向き突起２１の頂部が当接ないし極く接近するようにする。【選択図】  図１
2009214362.tif 000002
【特許請求の範囲】
【請求項１】
中軸の外周に円筒状の外軸が被せられた２重筒の筆記具の軸筒において、
合成樹脂製外軸と金属パイプ製外軸のいずれもが同一の中軸に被せられる軸筒であって、合成樹脂製外軸の内周面を成形する円柱状の中子型の抜き勾配に起因する両端部の内径の差のほぼ１／４の高さの円環状の内向き突起が合成樹脂製外軸の内径が大径側の端部内周面に形成され、両端の外径に差のないストレートな中軸の外周面に該内向き突起と略同等の高さの円環状の外向き突起が形成され、合成樹脂製外軸を中軸に被せたときに該内向き突起と外向き突起の頂部が当接ないし極く接近することを特徴とする筆記具の軸筒。
【発明の詳細な説明】
【技術分野】
【０００１】
本発明は筆記具の軸筒に関し、更には中軸の外周に外軸が被せられた２重筒の軸筒に関する。
【背景技術】
【０００２】
筆記具は本来の筆記機能の他に意匠的要素も重要視される商品であり、いろいろな意匠要素に富んだ設計が行われるが、意匠に変化を持たせて興趣を高める手法の一つとして、表面に印刷が施された中軸の外周に透明の樹脂で成形された外軸が被せて軸筒を２重筒とし、中軸表面の印刷が少しぼやけたり立体的に見えるようにすることがある。また、全体が合成樹脂で成形された筆記具の中軸の外周にステンレスなどの金属パイプからなる外筒を被せると、合成樹脂と金属の質感の違いで意匠的に変化に富み、また高級感を醸し出すことができる。
【特許文献１】特許第３９４２１６４号公報
【０００３】
このように、筆記具の軸筒は、中軸の外周に合成樹脂製の外筒を被せたり、金属パイプからなる外筒を被せて２重筒にすることがあるが、部品の共通化の観点から同一の中筒に合成樹脂製外筒と金属パイプ製外筒のいずれもを被せることができるのが好ましい。
【発明の開示】
【発明が解決しようとする課題】
【０００４】
合成樹脂製外筒を成形するとき、外周面を成形する金型を割り型にすると両端の外径差がないストレートな筒になるが、内周面を成形する中子型は抜き勾配が必要なために両端の内径に差が生じて緩いテーパー状になる。この外筒を外径差がないストレートな中筒に被せると、外筒の内径が大きな方の端部と中筒とのクリアランスが大きくなり、外筒が径方向にがたつきが生じる。したがって、中筒の外周面を外筒の内周面と同じテーパーになるように成形すればこの問題は解決する。
【０００５】
一方、金属パイプ製の外筒の内周面は両端の内径に差がないストレート状であるので、外周面にテーパーを付けた中筒に被せると一方の端部のクリアランスが大きくなって径方向にがたつきが生じたり、外筒が中筒外径の大径部分にひっかかって被せることが不可能になる不具合が生じる。
【０００６】
そこで本発明は、同一の中筒に合成樹脂製の外筒と金属パイプ製の外筒をいずれもを被せることが可能であり、かつ外筒の径方向のがたつきが生じない２重筒の軸筒を提供することを目的とする。
【課題を解決するための手段】
【０００７】
かかる目的を達成するために本発明は、中軸の外周に円筒状の外軸が被せられた２重筒の軸筒において、合成樹脂製外軸と金属パイプ製外軸のいずれもが同一の中軸に被せられる筆記具の軸筒であって、合成樹脂製外軸の内周面を成形する円柱状の中子型の抜き勾配に起因する両端部の内径の差のほぼ１／４の高さの円環状の内向き突起を合成樹脂製外軸の内径が大径側の端部内周面に形成し、両端の外径に差のないストレートな中軸の外周面にこの内向き突起とほぼ同等の高さの円環状の外向き突起を形成し、合成樹脂製外軸を中軸に被せたときに内向き突起と外向き突起の頂部が当接ないし極く接近するようにする。
【発明の効果】
【０００８】
合成樹脂製外軸を中軸に被せたときに、外軸の内径の大きな端部の内周面に形成された内向き突起と中軸の外周面に形成された外向き突起の頂部が当接ないし極く接近するので、径方向のがたつきを防止することができる。また、中軸の外周面に形成された外向き突起の高さが合成樹脂製外筒の内向き突起と同等であって小さいものであるので、内径がストレートな金属パイプ製外軸を中軸に被せたときに、この外向き突起に圧接した状態で被せることができ、径方向のがたつきも防止できる。
【発明を実施するための最良の形態】
【０００９】
以下に図面に基づいて本発明の発明を実施するための最良の形態を説明する。図１はノック式ボールペンに本発明の軸筒を適用した例を示すが、ノック式ボールペンに限られるものではない。図１において、軸筒１の中筒２は、合成樹脂にて外周面両端の外径に差がないストレートな筒状に成形されたものであり、その先端には合成樹脂で成形された大先５が着脱自由に螺着されていおり、尾端にはクリップ９１が一体になった尾栓９が嵌着されている。軸筒１内にはボールペンレフィール６がノックスプリング６９にて尾端側に弾発された状態で移動可能に収容されている。
【００１０】
レフィール繰出機構は回転子７を有する周知の回転ノック式であり、これを簡単に説明すると、レフィール６の尾端は回転子７に当接している。回転子７の羽根部は中筒２の縦溝２３に沿って前後動するが、尾栓９から突出したノック８を押圧すると回転子７は回転力を付与された状態で前進し、回転子７の羽根部が中筒２の縦溝２３を抜け出すと少し回転して縦溝２３を構成する縦リブの頂部に係止し、レフィール６のペン体６１が大先５の先端開口５１から突出して筆記可能になる。この状態から再びノック８を押圧すると回転子７が少し回転して羽根部が縦溝２３にはまり込み、ノックスプリング６９の弾発力により後退してペン体６１が大先５内に没入する。
【００１１】
軸筒１は２重筒式であり、図１（Ａ）においては、表面に文字や図柄が印刷された中軸２の外周には透明な合成樹脂で成形された外筒３が被せられている。したがって、中筒２の文字や図柄が少し浮き上がったように見えて興趣に富んでいる。また、中筒２の文字や図柄は外筒３により保護され、長期間使用しても剥げ落ちることがない。合成樹脂製外筒３の内周面は中子型の抜き勾配のために両端で内径に差があるが、内径の小さい端部が尾端側になるように被せられている。そして、外軸３の尾端部には、図２に示すように、突部３２が形成され、この突部３２が中筒２の凹部２２にはまりこんでおり、外筒３が中筒２に対して回転しないようにするとともに、レフィール６交換時に大先５を中筒２から取り外したときに外筒３が中筒２から抜け落ちないようになっている。
【００１２】
外筒３の先端側、つまり内径の大きな端部の内面に、図３に示すように、円環状の内向き突起３１が形成されている。一方、内向き突起３１に対面する部分の中筒２にも円環状の外向き突起２１が形成されており、内向き突起３１と外向き突起２１の頂部が当接するか、もしくは極めて接近しており、外筒３が径方向にがたつきが生じないようになっている。ここで、内向き突起３１の高さは中子型の抜き勾配に起因する外筒３の両端部の内径の差のほぼ１／４程度であり、内向き突起３１の両側は緩やかな斜面になっている。一方、外向き突起２１の高さも内向き突起３１と同程度であり、外向き突起２１の両側も緩やかな斜面になっている。
【００１３】
具体的な数値例を挙げると、外筒３の全長が７０ｍｍであり、内周面の両端における内径差は０．３ｍｍであり、つまり半径の差は０．１５ｍｍである。そして、内向き突起３１と外向き突起２１の高さは０．３ｍｍの１／４程度であって０．０７５ｍｍ程度である。このため、内向き突起３１と外向き突起２１の高さの和は０．１５ｍｍ程度となり、つまり外筒３の内周面両端の半径の差とほぼ等しくなり、中筒２に外筒３を被せたときに内向き突起３１と外向き突起２１の頂部が当接するか、もしくは極めて接近する。そして、外筒３を成形するとき、中子型には内向き突起３１を形成するための凹部が必要になり、型抜きの際はアンダーカットになるが、この程度のアンダーカットであれば型抜きは可能である。
【００１４】
図１（Ｂ）においては、図１（Ａ）の中軸２と同一の中軸２の外周に、両端の内径に差のないストレートなステンレスパイプからなる外筒４が被せられている。したがって、合成樹脂と金属の質感の違いで意匠的に変化に富み、また高級感を醸し出すことができる。そして、外軸４の尾端部には、図４に示すように、凹陥部４１が形成され、この凹陥部４１が中筒２の凹部２２にはまりこんでおり、外筒４が中筒２に対して回転しないようにするとともに、レフィール６交換時に大先５を中筒２から取り外したときに外筒４が中筒２から抜け落ちないようになっている。また、外筒４の内周面と中筒２の外周面とのクリアランスは０．０５ｍｍ程度であるが、外筒４を中筒２に被せるとき、図５に示すように、外筒４は高さが０．０７５ｍｍ程度の外向き突起２１を容易に乗り越えて被せることができ、径方向のがたつきを防止することができる。
【図面の簡単な説明】
【００１５】
【図１】本発明実施例の断面図である。
【図２】図１（ａ）部の拡大縦断面図と横断面図である。
【図３】図１（ｂ）部の拡大縦断面図である。
【図４】図１（ｃ）部の拡大縦断面図と横断面図である。
【図５】図１（ｄ）部の拡大縦断面図である。
【符号の説明】
【００１６】
１    軸筒
２    中軸
２１    外向き突起
２２    凹部
２３    縦溝
３    合成樹脂製外筒
３１    内向き突起
３２    突部
４    金属パイプ製外筒
４１    凹陥部
５    大先
５１    先端開口
６    レフィール
６１    ペン体
６９    ノックスプリング
７    回転子
８    ノック
９    尾栓
９１    クリップ
【図１】
2009214362.tif 000003
【図２】
2009214362.tif 000004
【図３】
2009214362.tif 000005
【図４】
2009214362.tif 000006
【図５】
2009214362.tif 000007